(57)【要約】【課題】学習用画像の種類を増加させることができる画像生成装置及び外観検査装置を提供する。【解決手段】画像生成装置は、検査対象製品と異なる種類の製品である第１製品に含まれる第１欠陥を描出している第１画像を取得する画像取得部と、前記検査対象製品を撮像した検査画像が前記第１欠陥と同じ種類の欠陥を描出しているか否かを識別する識別器に読み込ませて前記識別器を学習させるために使用される学習用画像を前記第１画像に基づいて生成する画像生成部と、を備える。【選択図】図１
2020106461.tif 000002
【特許請求の範囲】
【請求項１】
検査対象製品と異なる種類の製品である第１製品に含まれる第１欠陥を描出している第１画像を取得する画像取得部と、
前記検査対象製品を撮像した検査画像が前記第１欠陥と同じ種類の欠陥を描出しているか否かを識別する識別器に読み込ませて前記識別器を学習させるために使用される学習用画像を前記第１画像に基づいて生成する画像生成部と、
を備える画像生成装置。
【請求項２】
前記検査対象製品と同じ種類の製品である第２製品を撮像しており、欠陥を描出していない第２画像の特徴を示す特徴データを前記第２画像から抽出する特徴抽出部を更に備え、
前記画像生成部は、前記第１画像に加え、前記特徴データに基づいて前記学習用画像を生成する、
請求項１に記載の画像生成装置。
【請求項３】
前記特徴抽出部は、前記第２画像のうち前記第２製品を描出している領域内の各画素の色相に関する値を前記特徴データとして抽出し、
前記画像生成部は、前記第１画像のうち前記第１製品を描出している領域内の各画素の色相を前記値に置き換える、
請求項２に記載の画像生成装置。
【請求項４】
前記特徴抽出部は、前記第２画像のうち前記第２製品を描出している領域内の各画素の色相のばらつきの度合いを示す値を前記特徴データとして抽出し、
前記画像生成部は、前記第１画像のうち前記第１製品を描出している領域内の各画素の色相に前記ばらつきの度合いを示す値により規定される雑音を追加する、
請求項２又は請求項３に記載の画像生成装置。
【請求項５】
前記特徴抽出部は、前記第２画像が描出している前記第２製品と背景との境界を示す境界データを前記特徴データとして抽出し、
前記画像生成部は、前記境界データに基づいて、前記境界を前記第１画像に合成する、
請求項２から請求項４のいずれか一つに記載の画像生成装置。
【請求項６】
前記特徴抽出部は、前記第２画像が描出している前記第２製品の背景を示す背景データを前記特徴データとして抽出し、
前記画像生成部は、前記背景データに基づいて、前記背景を前記第１画像に合成する、
請求項２から請求項５のいずれか一つに記載の画像生成装置。
【請求項７】
前記画像生成部は、前記第１画像により描出されている前記第１欠陥の位置及び方向の少なくとも一方を変更して前記学習用画像を生成する、
請求項１から請求項６のいずれか一つに記載の画像生成装置。
【請求項８】
前記画像取得部は、前記第１欠陥と同じ種類の欠陥であり、前記第２製品に含まれている第２欠陥を描出している第３画像を更に取得し、
前記画像生成部は、更に、前記学習用画像を前記第３画像に基づいて生成する、
請求項２から請求項７のいずれか一つに記載の画像生成装置。
【請求項９】
前記画像生成部は、前記第３画像により描出されている前記第２欠陥の位置及び方向の少なくとも一方を変更して前記学習用画像を生成する、
請求項８に記載の画像生成装置。
【請求項１０】
前記識別器に前記学習用画像を読み込ませて前記識別器を学習させる識別器学習部と、
前記第１欠陥と同じ種類の欠陥を含む前記検査対象製品を撮像した異常検査画像を前記識別器に読み込ませ、前記識別器の識別精度を検証する識別器検証部と、
を更に備える請求項１から請求項９のいずれか一つに記載の画像生成装置。
【請求項１１】
検査対象製品を撮像する撮像装置と、
請求項１から請求項９のいずれか一つに記載の画像生成装置により生成された学習用画像を読み込んで学習した識別器と、
を備える外観検査装置。
【発明の詳細な説明】
【技術分野】
【０００１】
本発明は、画像生成装置及び外観検査装置に関する。
【背景技術】
【０００２】
現在では、人工知能（Artificial  Intelligence：ＡＩ）の急速な発展に伴い、深層学習（Deep  Learning）を含む機械学習（Machine  Learning）の重要性が高まっており、製造業、サービス業等、多くの分野への応用が期待されている。
【０００３】
例えば、機械学習を製造業に応用する場合、製品が欠陥を含んでいない良品であるか欠陥を含んでいる不良品であるかを識別する識別器を学習させるためには、良品を撮像した学習用画像及び不良品を撮像した学習用画像が必要となる。また、識別器の識別精度を向上させるためには、良品を撮像した学習用画像及び不良品を撮像した学習用画像の両方を一定数以上用意する必要があり、両者の数が同程度である必要がある。
【０００４】
ところが、通常、不良品の数は、良品の数に比べて遥かに少ない。このため、不良品を撮像した学習用画像は、良品を撮像した学習用画像に比べて不足することが多い。これを解消するための技術として、例えば、特許文献１には、良品との差分データを抽出し、乱数値から不良合成位置等の不良作成条件を幾通りも作成し、この不良作成条件に基づいて良品画像に差分データを合成することで、幾通りもの疑似不良画像を作成し、不良品を撮像した学習用画像としてニューラルネットワークに入力する疑似不良画像自動作成装置が開示されている。
【先行技術文献】
【特許文献】
【０００５】
【特許文献１】特開２００５−１５６３３４号公報
【０００６】
しかし、疑似不良画像自動作成装置は、不良品を撮像した少数の学習用画像から疑似的に複数の疑似不良画像を作成するため、疑似不良画像の種類が少なくなってしまい、識別器の識別精度を十分に高めることができないことがある。
【発明の概要】
【発明が解決しようとする課題】
【０００７】
そこで、本発明は、学習用画像の種類を増加させることができる画像生成装置及び外観検査装置を提供することを課題とする。
【課題を解決するための手段】
【０００８】
本発明の一態様は、検査対象製品と異なる種類の製品である第１製品に含まれる第１欠陥を描出している第１画像を取得する画像取得部と、前記検査対象製品を撮像した検査画像が前記第１欠陥と同じ種類の欠陥を描出しているか否かを識別する識別器に読み込ませて前記識別器を学習させるために使用される学習用画像を前記第１画像に基づいて生成する画像生成部と、を備える画像生成装置である。
【発明の効果】
【０００９】
本発明によれば、学習用画像の種類を増加させることができる。
【図面の簡単な説明】
【００１０】
【図１】実施形態に係る外観検査装置の構成の一例を示す図である。
【図２】実施形態に係る第１画像の一例を示す図である。
【図３】実施形態に係る第２画像の一例を示す図である。
【図４】実施形態に係る画像生成装置が生成する学習用画像の一例を示す図である。
【図５】実施形態に係る画像生成装置が生成する学習用画像の一例を示す図である。
【図６】実施形態に係る画像生成装置が生成する学習用画像の一例を示す図である。
【図７】実施形態に係る画像生成装置が実行する処理の一例を示すフローチャートである。
【発明を実施するための形態】
【００１１】
［実施形態］
図１から図６を参照しながら、実施形態に係る外観検査装置の構成の一例について画像生成装置を中心に説明する。図１は、実施形態に係る外観検査装置の構成の一例を示す図である。図１に示すように、外観検査装置１は、画像生成装置１０と、識別器２０と、撮像装置３０とを備える。
【００１２】
画像生成装置１０は、画像取得部１１と、特徴抽出部１２と、画像生成部１３と、画像記憶部１４と、識別器学習部１５と、識別器検証部１６とを備える。
【００１３】
図２は、実施形態に係る第１画像の一例を示す図である。画像取得部１１は、第１製品に含まれる第１欠陥を描出している第１画像Ｐ１を取得する。第１製品は、検査対象製品と異なる種類の製品である。また、第１欠陥は、亀裂、欠け、穴、凹み、異物の付着等の欠陥である。第１画像Ｐ１は、図２に示すように、略直線状の亀裂Ｃ１が入っている第１製品を描出している。画像取得部１１は、例えば、外観検査装置１の内部又は外部に設けられている記憶媒体から第１画像Ｐ１を取得する。
【００１４】
図３は、実施形態に係る第２画像の一例を示す図である。特徴抽出部１２は、検査対象製品と同じ種類の製品である第２製品を撮像しており、欠陥を描出していない第２画像Ｐ２の特徴を示す特徴データを第２画像Ｐ２から抽出する。また、第１製品と第２製品とは異なる種類の製品である。例えば、第１製品が樹脂製品であり、第２製品がセラミック製品である。
【００１５】
また、特徴データは、第２画像Ｐ２のうち第２製品を描出している領域内、例えば、図３に示した領域Ｒ２１内の各画素の色相に関する値及び色相のばらつきの度合いを示す値を含む。色相に関する値は、例えば、色相の平均、中央値、最大値、最小値、これらの値に適宜補正や重み付けを施して得られる値である。色相のばらつきの度合いを示す値は、例えば、色相の分散、標準偏差である。
【００１６】
或いは、特徴データは、第２画像Ｐ２が描出している第２製品と背景との境界Ｂを示す境界データを含む。境界Ｂは、図３に示すように、領域Ｒ２１と領域Ｒ２２とを隔てている線である。例えば、特徴抽出部１２は、第２画像Ｐ２にエッジ検出を適用することにより、境界Ｂを示す境界データを抽出する。ただし、特徴抽出部１２は、エッジ検出以外の方法により境界データを抽出してもよい。
【００１７】
或いは、特徴データは、第２画像Ｐ２が描出している第２製品の背景を示す背景データを含む。当該背景は、第２画像Ｐ２の領域Ｒ２２に描出されている。例えば、特徴抽出部１２は、第２画像Ｐ２に画像認識を適用することにより、当該背景を示す背景データを抽出する。具体的には、特徴抽出部１２は、第２画像Ｐ２から背景データを抽出する際に、境界Ｂを示す境界データを利用して領域Ｒ２１及び領域Ｒ２２を認識し、領域Ｒ２１及び領域Ｒ２２それぞれに画像認識を適用して当該背景が領域Ｒ２２に描出されていると認識し、領域Ｒ２２から背景データを抽出する。ただし、特徴抽出部１２は、他の方法により領域Ｒ２１及び領域Ｒ２２を認識してもよく、他の方法により当該背景が領域Ｒ２２に描出されていると認識してもよい。
【００１８】
図４は、実施形態に係る画像生成装置が生成する学習用画像の一例を示す図である。画像生成部１３は、第１画像Ｐ１及び特徴データに基づいて図４に示した学習用画像Ｌ１を生成する。
【００１９】
初めに、画像生成部１３は、第１画像Ｐ１全体の各画素から色相を削除する。次に、画像生成部１３は、第１画像Ｐ１全体の各画素の色相を、上述した特徴データに含まれる第２画像Ｐ２の領域Ｒ２１内の各画素の色相に関する値に置き換える。この場合、色相に関する値は、例えば、色相の平均である。さらに、画像生成部１３は、第１画像Ｐ１全体の各画素の色相に、上述した特徴データに含まれる第２画像Ｐ２の領域Ｒ２１内の各画素の色相のばらつきの度合いを示す値により規定される雑音を追加する。この場合、例えば、ばらつきの度合いを示す値が分散であり、雑音が第２画像Ｐ２の領域Ｒ２１内の各画素の色相の平均及び分散により規定されるガウス雑音である。これら二つの処理により、第１画像Ｐ１全体の各画素の色相が第２画像Ｐ２のうち第２製品を描出している領域Ｒ２１の色相に近くなる。なお、ここで言及している第１画像Ｐ１全体は、第１画像Ｐ１のうち第１製品を描出している領域の一例である。また、第１画像Ｐ１のうち第１製品を描出している領域は、第１製品に含まれる第１欠陥を描出している領域及びその周辺の領域であってもよい。
【００２０】
そして、画像生成部１３は、上述した特徴データに含まれる境界データに基づいて境界Ｂを第１画像Ｐ１に合成し、上述した特徴データに含まれる背景データに基づいて第２画像Ｐ２の領域Ｒ２２に描出されている背景を第１画像Ｐ１に合成する。以上により、画像生成部１３は、図４に示した学習用画像Ｌ１を生成する。
【００２１】
また、画像生成部１３は、図２に示した第１画像Ｐ１により描出されている第１欠陥の一例である亀裂Ｃ１の位置及び方向の少なくとも一方を変更して図５に示した学習用画像Ｌ２や図６に示した学習用画像Ｌ３を生成してもよい。図５及び図６は、実施形態に係る画像生成装置が生成する学習用画像の一例を示す図である。
【００２２】
例えば、画像生成部１３は、図２に示した第１画像Ｐ１に画像処理を適用して亀裂Ｃ１の位置を平行移動させた後、上述した色相の置き換え、雑音の追加、境界の合成及び背景の合成を実行し、図５に示した学習用画像Ｌ２を生成してもよい。
【００２３】
或いは、画像生成部１３は、図２に示した第１画像Ｐ１に画像処理を適用して亀裂Ｃ１の方向を反時計周りに４５度回転させた後、上述した色相の置き換え、雑音の追加、境界の合成及び背景の合成を実行し、図６に示した学習用画像Ｌ３を生成してもよい。
【００２４】
画像記憶部１４は、画像生成部１３により生成された学習用画像Ｌ１、学習用画像Ｌ２及び学習用画像Ｌ３を記憶する記憶媒体である。
【００２５】
識別器学習部１５は、図１に示した識別器２０に学習用画像を読み込ませて識別器２０を学習させる。
【００２６】
識別器２０は、機械学習を利用することにより、検査対象製品を撮像した検査画像が第１画像Ｐ１により描出されている第１欠陥と同じ種類の欠陥を描出しているか否かを識別する。ここで言う機械学習は、深層学習を含んでおり、例えば、ニューラルネットワーク(Neural  Network)、サポートベクターマシーン(Support  Vector  Machine：ＳＶＭ)、ランダムフォレスト(Random  Forest)である。また、検査画像は、例えば、図１に示した撮像装置３０により撮像される。
【００２７】
識別器学習部１５は、亀裂、欠け、穴、凹み、異物の付着等の欠陥の種類それぞれについて、具体的な欠陥の形態ごとに学習用画像を読み込ませる。例えば、識別器学習部１５は、欠陥の種類の一つである亀裂について、略直線状に入っている亀裂、途中で分岐している亀裂、曲がっている亀裂等、亀裂の特徴ごとに一定数以上の学習用画像を識別器２０に学習用画像を読み込ませる。
【００２８】
識別器検証部１６は、第１画像Ｐ１により描出されている第１欠陥と同じ種類の欠陥を含む検査対象製品を撮像した異常検査画像を識別器２０に読み込ませ、識別器２０の識別精度を検証する。例えば、識別器検証部１６は、図４に示した学習用画像Ｌ１等、略直線状に入っている亀裂を描出しており、図２に示した第１画像Ｐ１等から生成した学習用画像を識別器２０に一定数以上読み込ませる。そして、識別器検証部１６は、略直線状に入っている亀裂を含む検査対象製品の検査画像を識別器２０に入力し、識別器２０が検査画像に略直線状に入っている亀裂が描出されていると識別するか否かを検証する。
【００２９】
次に、図７を参照しながら実施形態に係る画像生成装置の動作の一例を説明する。図７は、実施形態に係る画像生成装置が実行する処理の一例を示すフローチャートである。
【００３０】
ステップＳ１０において、画像生成部１３は、第１画像Ｐ１の各画素から色相を削除し、第１欠陥の位置及び方向を決定する。
【００３１】
ステップＳ２０において、特徴抽出部１２は、第２画像Ｐ２のうち第２製品を描出している領域内の各画素の色相に関する値及び色相のばらつきの度合いを抽出し、第２画像Ｐ２が描出している第２製品と背景との境界Ｂを示す境界データ及び当該背景を示す背景データを抽出する。
【００３２】
ステップＳ３０において、画像生成部１３は、第１画像Ｐ１のうち少なくとも第１製品を描出している領域内の各画素の色相をステップＳ２０で抽出された色相に関する値に置き換える。
【００３３】
ステップＳ４０において、画像生成部１３は、第１画像Ｐ１のうち少なくとも第１製品を描出している領域内の各画素の色相にステップＳ２０で抽出された色相に関する値及び色相のばらつきの度合いにより規定される雑音を追加する。
【００３４】
ステップＳ５０において、画像生成部１３は、ステップＳ２０で抽出された境界データ及び背景データに基づいて、境界Ｂ及び背景を描出している第２画像Ｐ２の領域Ｒ２２を第１画像Ｐ１に合成する。
【００３５】
以上、実施形態に係る画像生成装置１０について説明した。画像生成装置１０は、第１製品に含まれる第１欠陥を描出している第１画像Ｐ１に基づいて学習用画像Ｌ１、学習用画像Ｌ２及び学習用画像Ｌ３の少なくとも一つを生成する。これにより、画像生成装置１０は、学習用画像の種類を増加させ、識別器２０の識別精度の向上に貢献することができる。
【００３６】
また、画像生成装置１０は、第２画像Ｐ２の特徴を示す特徴データを抽出し、第１画像Ｐ１及び特徴データに基づいて学習用画像Ｌ１、学習用画像Ｌ２及び学習用画像Ｌ３の少なくとも一つを生成する。これにより、画像生成装置１０は、第１画像Ｐ１の特徴が第２画像の特徴と異なっていても、学習用画像Ｌ１、学習用画像Ｌ２及び学習用画像Ｌ３の特徴を検査対象製品の検査画像の特徴に近づけ、識別器２０の識別精度の向上に貢献することができる。
【００３７】
また、画像生成装置１０は、第２画像Ｐ２のうち第２製品を描出している領域Ｒ２１内の各画素の色相に関する値及び色相のばらつきの度合いを示す値を抽出する。そして、画像生成装置１０は、第１画像Ｐ１のうち少なくとも第１製品を描出している領域内の各画素の色相を領域Ｒ２１内の各画素の色相に関する値に置き換え、第１画像Ｐ１のうち少なくとも第１製品を描出している領域内の各画素の色相に領域Ｒ２１内の各画素の色相のばらつきの度合いを示す値により規定される雑音を追加する。これにより、画像生成装置１０は、第１画像Ｐ１の色相が第２画像の色相と異なっていても、学習用画像Ｌ１、学習用画像Ｌ２及び学習用画像Ｌ３の色相を検査対象製品の検査画像の色相に近づけ、識別器２０の識別精度の向上に貢献することができる。
【００３８】
また、画像生成装置１０は、第２画像Ｐ２が描出している第２製品と背景との境界Ｂを示す境界データを抽出し、境界データに基づいて境界Ｂを第１画像Ｐ１に合成する。さらに、画像生成装置１０は、第２画像Ｐ２が描出している第２製品の背景を示す背景データを抽出し、背景データに基づいて、背景を第１画像Ｐ１に合成する。これら二つの処理により、画像生成装置１０は、学習用画像Ｌ１、学習用画像Ｌ２及び学習用画像Ｌ３に境界Ｂ及び背景を含めることによりこれらの学習用画像の特徴を検査対象製品の検査画像の特徴に近づけ、識別器２０の識別精度の向上に貢献することができる。特に、境界や背景が識別器２０に特徴として認識され易い場合、これらの学習用画像の特徴が検査対象画像の特徴に更に近くなることになるためこれら二つの処理は有用である。
【００３９】
また、画像生成装置１０は、第１画像Ｐ１により描出されている第１欠陥の位置及び方向の少なくとも一方を変更して学習用画像Ｌ２及び学習用画像Ｌ３を生成する。これにより、画像生成装置１０は、一つの第１画像Ｐ１から学習用画像Ｌ１に加え、二つの学習用画像Ｌ２及び学習用画像Ｌ３を生成することができるため、学習用画像の種類を更に増加させ、識別器２０の識別精度の向上に貢献することができる。
【００４０】
第１製品と第２製品とは異なる種類の製品である。このため、画像生成装置１０は、第２製品に含まれる欠陥を描出した画像の数が少ない場合であっても、第１製品に含まれる第１欠陥を撮像した第１画像Ｐ１から学習用画像Ｌ１、学習用画像Ｌ２及び学習用画像Ｌ３の少なくとも一つを生成することができる。したがって、学習用画像の種類を増加させ、識別器２０の識別精度の向上に貢献することができる。
【００４１】
また、画像生成装置１０は、識別器２０に学習用画像Ｌ１、学習用画像Ｌ２、学習用画像Ｌ３等を読み込ませて識別器２０を学習させる。そして、画像生成装置１０は、第１画像Ｐ１により描出されている第１欠陥と同じ種類の欠陥を含む検査対象製品を撮像した異常検査画像を識別器２０に読み込ませ、識別器２０の識別精度を検証する。したがって、画像生成装置１０は、識別器２０の識別精度がどの程度向上しているかを検証することができるだけではなく、学習用画像Ｌ１、学習用画像Ｌ２、学習用画像Ｌ３等による識別器２０の学習をより良い方向に導くことができる。
【００４２】
なお、画像生成部１３は、第２画像Ｐ２の特徴を示す特徴データを使用することなく、第１画像Ｐ１に基づいて学習用画像を生成してもよい。この場合、画像生成部１３は、第１画像Ｐ１のうち少なくとも第１製品に含まれる第１欠陥を描出している領域内の各画素の色相を示すデータを削除して学習用画像を生成する。
【００４３】
なお、画像取得部１１は、第１画像とは別に、第１欠陥と同じ種類の欠陥であり、第２製品に含まれている第２欠陥を描出している第３画像を取得してもよい。この場合、画像生成部１３は、第１画像Ｐ１に基づいて生成した学習用画像とは別に、第３画像に基づいて学習用画像を生成する。或いは、画像生成部１３は、第３画像に画像処理を適用して第２欠陥の位置を平行移動させる処理又は第２欠陥の方向を回転させる処理により、第３画像が描出している第２欠陥の位置及び方向の少なくとも一方を変更して学習用画像を生成する。したがって、画像生成装置１０は、学習用画像の種類を更に増加させ、識別器２０の識別精度の向上に貢献することができる。
【００４４】
なお、上述した異常検査画像には、学習用画像とは別に取得された検査画像だけではなく、上述した第１画像及び第３画像の少なくとも一方が含まれていてもよい。
【００４５】
以上、本発明の実施形態について図面を参照しながら説明したが、具体的な構成が上述した実施形態に限られるわけではなく、本発明の要旨を逸脱しない範囲での設計変更等も含まれる。
【符号の説明】
【００４６】
１…外観検査装置、１０…画像生成装置、１１…画像取得部、１２…特徴抽出部、１３…画像生成部、１４…画像記憶部、１５…識別器学習部、１６…識別器検証部、２０…識別器、３０…撮像装置、Ｂ…境界、Ｃ１…亀裂、Ｌ１，Ｌ２，Ｌ３…学習用画像、Ｐ１…第１画像、Ｐ２…第２画像、Ｒ２１，Ｒ２２…領域
【図１】
2020106461.tif 000003
【図２】
2020106461.tif 000004
【図３】
2020106461.tif 000005
【図４】
2020106461.tif 000006
【図５】
2020106461.tif 000007
【図６】
2020106461.tif 000008
【図７】
2020106461.tif 000009
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
検査対象製品と異なる種類の製品である第１製品に含まれる第１欠陥を描出している第１画像を取得する画像取得部と、
前記検査対象製品を撮像した検査画像が前記第１欠陥と同じ種類の欠陥を描出しているか否かを識別する識別器に読み込ませて前記識別器を学習させるために使用される学習用画像を前記第１画像に基づいて生成する画像生成部と、
を備える画像生成装置。
【請求項２】
前記検査対象製品と同じ種類の製品である第２製品を撮像しており、欠陥を描出していない第２画像の特徴を示す特徴データを前記第２画像から抽出する特徴抽出部を更に備え、
前記画像生成部は、前記第１画像に加え、前記特徴データに基づいて前記学習用画像を生成する、
請求項１に記載の画像生成装置。
【請求項３】
前記特徴抽出部は、前記第２画像のうち前記第２製品を描出している領域内の各画素の色相に関する値を前記特徴データとして抽出し、
前記画像生成部は、前記第１画像のうち前記第１製品を描出している領域内の各画素の色相を前記値に置き換える、
請求項２に記載の画像生成装置。
【請求項４】
前記特徴抽出部は、前記第２画像のうち前記第２製品を描出している領域内の各画素の色相のばらつきの度合いを示す値を前記特徴データとして抽出し、
前記画像生成部は、前記第１画像のうち前記第１製品を描出している領域内の各画素の色相に前記ばらつきの度合いを示す値により規定される雑音を追加する、
請求項２又は請求項３に記載の画像生成装置。
【請求項５】
前記特徴抽出部は、前記第２画像が描出している前記第２製品と背景との境界を示す境界データを前記特徴データとして抽出し、
前記画像生成部は、前記境界データに基づいて、前記境界を前記第１画像に合成する、  請求項２から請求項４のいずれか一つに記載の画像生成装置。
【請求項６】
前記特徴抽出部は、前記第２画像が描出している前記第２製品の背景を示す背景データを前記特徴データとして抽出し、
前記画像生成部は、前記背景データに基づいて、前記背景を前記第１画像に合成する、  請求項２から請求項５のいずれか一つに記載の画像生成装置。
【請求項７】
前記画像取得部は、前記第１欠陥と同じ種類の欠陥であり、前記第２製品に含まれている第２欠陥を描出している第３画像を更に取得し、
前記画像生成部は、更に、前記学習用画像を前記第３画像に基づいて生成する、
請求項２から請求項６のいずれか一つに記載の画像生成装置。
【請求項８】
前記画像生成部は、前記第３画像により描出されている前記第２欠陥の位置及び方向の少なくとも一方を変更して前記学習用画像を生成する、
請求項７に記載の画像生成装置。
【請求項９】
前記画像生成部は、前記第１画像により描出されている前記第１欠陥の位置及び方向の少なくとも一方を変更して前記学習用画像を生成する、
請求項１から請求項８のいずれか一つに記載の画像生成装置。
【請求項１０】
前記識別器に前記学習用画像を読み込ませて前記識別器を学習させる識別器学習部と、  前記第１欠陥と同じ種類の欠陥を含む前記検査対象製品を撮像した異常検査画像を前記識別器に読み込ませ、前記識別器の識別精度を検証する識別器検証部と、
を更に備える請求項１から請求項９のいずれか一つに記載の画像生成装置。
【請求項１１】
検査対象製品を撮像する撮像装置と、
請求項１から請求項９のいずれか一つに記載の画像生成装置により生成された学習用画像を読み込んで学習した識別器と、
を備える外観検査装置。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
検査対象製品と異なる種類の製品である第１製品に含まれる第１欠陥を描出している第１画像を取得する画像取得部と、
前記検査対象製品を撮像した検査画像が前記第１欠陥と同じ種類の欠陥を描出しているか否かを識別する識別器に読み込ませて前記識別器を学習させるために使用される学習用画像を前記第１画像に基づいて生成する画像生成部と、
を備える画像生成装置。
【請求項２】
前記検査対象製品と同じ種類の製品である第２製品を撮像しており、欠陥を描出していない第２画像の特徴を示す特徴データを前記第２画像から抽出する特徴抽出部を更に備え、
前記画像生成部は、前記第１画像に加え、前記特徴データに基づいて前記学習用画像を生成する、
請求項１に記載の画像生成装置。
【請求項３】
前記特徴抽出部は、前記第２画像のうち前記第２製品を描出している領域内の各画素の色相に関する値を前記特徴データとして抽出し、
前記画像生成部は、前記第１画像のうち前記第１製品を描出している領域内の各画素の色相を前記値に置き換える、
請求項２に記載の画像生成装置。
【請求項４】
前記特徴抽出部は、前記第２画像のうち前記第２製品を描出している領域内の各画素の色相のばらつきの度合いを示す値を前記特徴データとして抽出し、
前記画像生成部は、前記第１画像のうち前記第１製品を描出している領域内の各画素の色相に前記ばらつきの度合いを示す値により規定される雑音を追加する、
請求項２又は請求項３に記載の画像生成装置。
【請求項５】
前記特徴抽出部は、前記第２画像が描出している前記第２製品と背景を示す背景データを前記特徴データとして抽出し、
前記画像生成部は、前記背景データに基づいて、前記背景を前記第１画像に合成する、
請求項２から請求項４のいずれか一つに記載の画像生成装置。
【請求項６】
前記特徴抽出部は、前記第２画像が描出している前記第２製品の前記背景との境界を示す境界データを前記特徴データとして抽出し、
前記画像生成部は、前記境界データに基づいて、前記境界を前記第１画像に合成する、
請求項５に記載の画像生成装置。
【請求項７】
前記画像取得部は、前記第１欠陥と同じ種類の欠陥であり、前記第２製品に含まれている第２欠陥を描出している第３画像を更に取得し、
前記画像生成部は、更に、前記学習用画像を前記第３画像に基づいて生成する、
請求項２から請求項６のいずれか一つに記載の画像生成装置。
【請求項８】
前記画像生成部は、前記第３画像により描出されている前記第２欠陥の位置及び方向の少なくとも一方を変更して前記学習用画像を生成する、
請求項７に記載の画像生成装置。
【請求項９】
前記画像生成部は、前記第１画像により描出されている前記第１欠陥の位置及び方向の少なくとも一方を変更して前記学習用画像を生成する、
請求項１から請求項８のいずれか一つに記載の画像生成装置。
【請求項１０】
前記識別器に前記学習用画像を読み込ませて前記識別器を学習させる識別器学習部と、
前記第１欠陥と同じ種類の欠陥を含む前記検査対象製品を撮像した異常検査画像を前記識別器に読み込ませ、前記識別器の識別精度を検証する識別器検証部と、
を更に備える請求項１から請求項９のいずれか一つに記載の画像生成装置。
【請求項１１】
検査対象製品を撮像する撮像装置と、
請求項１から請求項９のいずれか一つに記載の画像生成装置により生成された学習用画像を読み込んで学習した識別器と、
を備える外観検査装置。